(57)【特許請求の範囲】
【請求項１】
本体と、
前記本体に吸い込まれる吸気が流通する吸気通路を構成する部材と、
前記部材に取り付けられる略円筒状の軸部を有する接続部と、第１の刷毛部と、第２の刷毛部と、を有する付属ブラシと、
を備え、
前記第１の刷毛部は、
当該付属ブラシを使用して対象場所を掃除する使用状態と当該付属ブラシを使用せずに対象場所を掃除する非使用状態との間にて軸線を中心に前記接続部と相対回転し、略Ｕ字状の断面を有する第１の回転部材と、
前記第１の回転部材に略Ｕ字状に配置されるように固定された刷毛と、を有し、
前記第２の刷毛部は、
前記使用状態と前記非使用状態との間にて前記軸線を中心に前記接続部と相対回転する第２の回転部材と、
前記第２の回転部材に固定された刷毛と、を有し、
前記使用状態のときには、前記第１の回転部材と前記第２の回転部材とによって略環状の形状が形成され、
前記非使用状態のときには、前記第１の刷毛部の前記刷毛と前記第２の刷毛部の前記刷毛とが、前記接続部の前記軸部が延びる方向と略平行な方向に延びている、
電気掃除機。
【請求項２】
前記非使用状態のときには、前記第１の刷毛部が前記接続部を囲むように前記第１の刷毛部と前記接続部とが互いに固定されている、
請求項１に記載の電気掃除機。
【請求項３】
前記第１の回転部材は、前記第１の回転部材の内周面のうちの左右両側に設けられ且つ前記軸線を中心とする円環状の形状を有する第１の嵌合部と、前記第１の回転部材の前記内周面のうちの左側または右側に設けられた第１の突起および第２の突起と、を有し、
前記接続部は、前記接続部の左右の両側に配置され、円柱状または円筒状の形状を有し、且つ前記第１の回転部材の前記第１の嵌合部に嵌合する取付部と、前記接続部の左側または右側のうち、前記第１の回転部材の前記第１の突起および前記第２の突起が配置された側に配置された突起と、を有し、
前記接続部の前記突起は、前記使用状態であるときには前記第１の回転部材の前記第１の突起に固定され、前記非使用状態であるときには前記第１の回転部材の前記第２の突起に固定されている、
請求項１または請求項２に記載の電気掃除機。
【請求項４】
前記第１の回転部材は、前記第１の回転部材の前記内周面のうちの左右両側に設けられ且つ前記軸線を中心とする円環状の形状を有する第２の嵌合部を有し、
前記第２の回転部材は、前記第２の回転部材の左右の両側に配置され、円環状の形状を有し、且つ前記第１の回転部材の前記第２の嵌合部に嵌合する脚部を有している、
請求項３に記載の電気掃除機。
【請求項５】
前記第１の刷毛部の前記刷毛の形態と、前記第２の刷毛部の前記刷毛の形態とは、それぞれ異なっている、
請求項１から請求項４までのいずれか１項に記載の電気掃除機。
【請求項６】
前記付属ブラシの前記接続部は、前記部材に着脱自在に取り付けられている、
請求項１から請求項５までのいずれか１項に記載の電気掃除機。
【発明の詳細な説明】
【技術分野】
【０００１】
この発明は、付属ブラシを備えた電気掃除機に関する。
【背景技術】
【０００２】
家具の凹凸部分または部屋の隅等の場所を掃除する際に、電気掃除機のホースまたはホースに接続された延長管に取り付けられる電気掃除機の付属ブラシが従来から提供されている。電気掃除機の使用者は、狭い場所等に散らばった埃等を付属ブラシの刷毛の部分で掃くことにより、これらの埃等を電気掃除機に吸い込ませる。このように、電気掃除機の使用者は、付属ブラシを用いることにより、家具の凹凸部分または部屋の隅等の場所を効率的に清掃することができる。
【０００３】
従来の付属ブラシとして、特開２００５−１８５４８０号公報（以下では特許文献１という）に係る電気掃除機のブラシ部と、特開２０００−３２５２７７号公報（以下では特許文献２という）に係る電気掃除機の吸込口アタッチメントとが知られている。特許文献１に係る電気掃除機のブラシ部では、ブラシ部の先端に略Ｕ字状に並ぶようにブラシ糸が配置されている。また、特許文献２に記載された吸込口アタッチメントでも、アタッチメントの先端に略Ｕ字状に並ぶようにブラシが配置されている。
【０００４】
このように、例えば特許文献１に係る電気掃除機のブラシ部では、ブラシが略Ｕ字状に並んでいる場合は、ブラシが略環状に並んでいる場合と比べ、ブラシの毛が存在しない隙間が大きくなる。この隙間が大きい程、電気掃除機が埃等を吸い込むときの吸塵効果が低下する。
【０００５】
一方、特開２００６−８１９４８号公報（以下では特許文献３という）に記載されているように、吸込具の先端に略環状に配置された刷毛を有した電気掃除機の吸込具が知られている。また、特開２００５−３３４０４１号公報（以下では特許文献４という）に係る電気掃除機のアタッチメントは、当該アタッチメントの先端に略環状に配置された毛ブラシを有している。
【０００６】
このように、特許文献３に記載された吸引具および特許文献４に記載されたアタッチメントは、特許文献１に記載されたブラシ部および特許文献２に記載された吸込口アタッチメントと異なり、それぞれ毛ブラシ等がアタッチメントの先端に略環状に配置されている。
【０００７】
そのため、特許文献３に係る電気掃除機および特許文献４に係る電気掃除機では、特許文献１に係る電気掃除機および特許文献２に係る電気掃除機に比べ、電気掃除機が埃等を吸い込むときに吸塵効果が低下することが抑制されている。
【先行技術文献】
【特許文献】
【０００８】
【特許文献１】特開２００５−１８５４８０号公報
【特許文献２】特開２０００−３２５２７７号公報
【特許文献３】特開２００６−８１９４８号公報
【特許文献４】特開２００５−３３４０４１号公報
【発明の概要】
【発明が解決しようとする課題】
【０００９】
特許文献３に係る電気掃除機の吸引具では、吸込具が使用されないときは、吸込具の刷毛が、延長管の内壁に沿って延長管の内部を摺動しながら、電気掃除機のホースの延長管に収納される。また、吸込具の先端部が延長管に収納されるときには、当該吸込具から刷毛が延びる方向に刷毛を付勢する付勢部材が圧縮され、刷毛が吸込具の内部に収納される。吸込具を使用する使用状態のときは、延長管を当該吸込具から取り外す。このとき、付勢部材が刷毛を押圧することにより、圧縮された状態から使用可能な長さにまで刷毛の長さが変化する。
【００１０】
特許文献３に係る電気掃除機の吸引具では、上述のように、吸込具の先端部が延長管に収納されるときには、付勢部材が圧縮されることによって刷毛が吸込具の内部に収納され、吸込具を使用する際には、付勢部材が刷毛を押圧することにより、圧縮された状態から使用可能な長さにまで刷毛の長さが変化する。このように、特許文献３に係る電気掃除機の吸引具では、吸引具を延長管に収容している状態から吸引具を使用することが可能な状態に変化させるまでに必要な構成が複雑である。さらに、これにより、吸引具の重量が増加する。
【００１１】
また、特許文献３に係る電気掃除機の吸引具を延長管に収容している状態では、吸込具の刷毛が延長管の内壁に触れることにより、内壁に付着している埃等が刷毛に付着して刷毛が汚れたり刷毛が傷んだりする恐れがある。また、吸込具の刷毛が延長管の外側に触れることにより、延長管が汚れてしまう恐れがある。そのため、吸引具を使用しないときに、延長管が汚れたり、また吸引具の刷毛が汚れたり傷んだりすることなく、所定の非使用状態に適切に変化させることが可能な吸引具が望まれている。
【００１２】
一方、特許文献４に記載されたアタッチメントでは、アタッチメントが使用されない非使用状態のときは、アタッチメントは吸込口体の台座部に接続されている。このとき、アタッチメントの毛ブラシが台座部の外部に露出している。
【００１３】
特許文献４に係る電気掃除機のアタッチメントを台座部に接続している状態では、アタッチメントの毛ブラシが吸込口体または台座部に触れることにより、吸込口体に付着している埃等が毛ブラシに付着して毛ブラシが汚れたり毛ブラシが傷んだりする恐れがある。また、アタッチメントの毛ブラシが吸込口体の外側に触れることにより、吸込口体が汚れてしまう恐れがある。
【００１４】
そこで、この発明の目的は、簡易な構成を有し且つ所定の使用状態から所定の非使用状態に適切に変化することが可能な付属ブラシであって、所定の非使用状態から所定の使用状態に変化するときには刷毛が付属ブラシの先端に略環状に配置される付属ブラシを備えた電気掃除機を提供することである。
【課題を解決するための手段】
【００１５】
この発明に従った電気掃除機は、本体と、部材と、付属ブラシとを備えている。
部材は、本体に吸い込まれる吸気が流通する吸気通路を構成している。付属ブラシは、接続部と第１の刷毛部と第２の刷毛部とを有している。付属ブラシの接続部は、部材に取り付けられている。また、付属ブラシの接続部は、略円筒状の軸部を有している。
【００１６】
第１の刷毛部は、第１の回転部材と刷毛とを有している。第１の回転部材は、当該付属ブラシを使用して対象場所を掃除する使用状態と当該付属ブラシを使用せずに対象場所を掃除する非使用状態との間にて軸線を中心に接続部と相対回転し、略Ｕ字状の断面を有している。第１の刷毛部の刷毛は、第１の回転部材に略Ｕ字状に配置されるように固定されている。また、第２の刷毛部は、第２の回転部材と刷毛とを有している。第２の回転部材は、使用状態と非使用状態との間にて軸線を中心に接続部と相対回転する。第２の刷毛部の刷毛は、第２の回転部材に固定されている。
【００１７】
この発明に従った電気掃除機では、使用状態のときには、第１の回転部材と第２の回転部材とによって略環状の形状が形成されている。一方、非使用状態のときには、第１の刷毛部の刷毛と第２の刷毛部の刷毛とが、接続部の軸部が延びる方向と略平行な方向に延びている。
【００１８】
このように、この発明に従った電気掃除機の付属ブラシは、接続部と第１の刷毛部と第２の刷毛部との間の相対回転のみによって使用状態と非使用状態とが変化するような簡易な構成を有している。すなわち、この発明に従った電気掃除機の付属ブラシは、使用状態と非使用状態との間で変化するための付勢部材等を有していないため、簡易な構成を有している。
【００１９】
また、当該付属ブラシが非使用状態であるときには、第１の刷毛部の刷毛と第２の刷毛部の刷毛とは、接続部の軸部が延びる方向と平行な方向に延びている。このように、この発明に従った電気掃除機の付属ブラシでは、当該付属ブラシを使用しないときに、接続部の軸部と刷毛とが干渉することがないように構成されている。このように、この発明に従った電気掃除機の付属ブラシは、刷毛が汚れたり傷んだりすることなく、所定の非使用状態に適切に変化する。
【００２０】
この発明に従った電気掃除機では、非使用状態のときには、第１の刷毛部が接続部を囲むように第１の刷毛部と接続部とが互いに固定されていることが好ましい。
【００２１】
この構成によれば、非使用状態のときに第１の刷毛部が接続部を囲むように第１の刷毛部と接続部とが互いに固定されることにより、付属ブラシは、接続部が吸気通路を構成する部材に取り付けられたまま非使用状態に変化することができる。
【００２２】
この発明に従った付属ブラシは、軸部を有する接続部と第１の刷毛部と第２の刷毛部とを備えている。接続部の軸部は、略円筒状の形状を有している。第１の刷毛部は、第１の回転部材と、第１の回転部材に固定された刷毛とを有している。また、第２の刷毛部は、第２の回転部材と、第２の回転部材に固定された刷毛とを有している。
【００２３】
第１の回転部材は、当該付属ブラシを使用する使用状態と当該付属ブラシを使用しない非使用状態との間にて軸線を中心に接続部と相対回転する。また、第１の回転部材は、使用状態において、軸線が水平方向に延びるように見える方向である略前方から見て、略Ｕ字状の形状を有している。第１の刷毛部の刷毛は、第１の回転部材に略Ｕ字状に配置されるように固定されている。このとき、第１の刷毛部の刷毛は、略前方に向かって延びている。
【００２４】
第２の回転部材は、使用状態と非使用状態との間にて軸線を中心に第１の刷毛部または接続部と相対回転する。また、第２の回転部材は、使用状態において軸線が延びる方向に線状に延びている。第２の刷毛部の刷毛は、第２の回転部材と平行な方向に線状に配置されるように第２の回転部材に固定されている。このとき、第２の刷毛部の刷毛は、略前方に向かって延びている。
【００２５】
さらに、この発明に従った付属ブラシでは、使用状態のときには、略前方から見て第１の回転部材と第２の回転部材とによって略環状の形状が形成されている。一方、非使用状態のときには、第１の刷毛部が接続部を囲むように第１の刷毛部と接続部とが互いに固定され、且つ、第１の刷毛部の刷毛と第２の刷毛部の刷毛とが、接続部の軸部が延びる方向と略平行な方向に略前方から略後方に向かって延びている。略後方は、略前方の反対方向である。
【００２６】
この発明によれば、当該付属ブラシが接続部と第１の刷毛部と第２の刷毛部とを備え、第１の刷毛部が軸線を中心に接続部に対して回転し、且つ、第２の刷毛部が軸線を中心に接続部または第１の刷毛部に対して回転することにより、使用状態と非使用状態とが変化するように構成されている。つまり、この発明に従った付属ブラシは、接続部と第１の刷毛部と第２の刷毛部との間の相対回転のみによって使用状態と非使用状態とが変化するような簡易な構成を有している。このように、この発明に従った付属ブラシは、使用状態と非使用状態との間で変化するための付勢部材等を有していないため、簡易な構成を有している。
【００２７】
また、当該付属ブラシが非使用状態であるときには、第１の刷毛部の刷毛と第２の刷毛部の刷毛とは、接続部の軸部が延びる方向と平行な方向に略前方から略後方に向かって延びている。このように、この発明に従った付属ブラシでは、当該付属ブラシを使用しないときに、接続部の軸部と刷毛とが干渉することがないように構成されている。このように、この発明に従った付属ブラシは、刷毛が汚れたり傷んだりすることなく、所定の非使用状態に適切に変化する。
【００２８】
一方、当該付属ブラシが使用状態であるときには、略前方から見て第１の回転部材と第２の回転部材とによって略環状の形状が形成されることにより、第１の刷毛部の刷毛と第２の刷毛部の刷毛とが付属ブラシの先端に略環状に配置される。
【００２９】
したがって、この発明に従った付属ブラシは、簡易な構成を有し且つ所定の非使用状態と所定の使用状態とに適切に変化することが可能である。また、この発明に従った付属ブラシでは、所定の非使用状態から所定の使用状態に変化するときには刷毛が付属ブラシの先端に略環状に配置される。
【００３０】
この発明に従った電気掃除機において、第１の回転部材は、第１の嵌合部と、第１の突起および第２の突起とを有していることが好ましい。第１の嵌合部は、第１の回転部材の内周面のうちの左右両側に設けられ且つ軸線を中心とする円環状の形状を有していることが好ましい。また、第１の突起および第２の突起は、第１の回転部材の内周面のうちの左側または右側に設けられていることが好ましい。一方、接続部は、取付部と突起とを有していることが好ましい。取付部は、接続部の左右の両側に配置され、円柱状または円筒状の形状を有し、且つ第１の回転部材の第１の嵌合部に嵌合する。突起は、接続部の左側または右側のうち、第１の回転部材の第１の突起および第２の突起が配置された側に配置されていることが好ましい。さらに、接続部の突起は、使用状態であるときには第１の回転部材の第１の突起に固定され、非使用状態であるときには第１の回転部材の第２の突起に固定されていることが好ましい。
【００３１】
この構成によれば、接続部の左右の両側に配置された円柱状または円筒状の取付部は、軸線を中心とする円環状の第１の嵌合部に嵌合する。これにより、第１の刷毛部は、接続部に対して軸線を中心に回転することができる。さらに、使用状態であるときには、第１の回転部材の第１の突起に接続部の突起が固定されることにより、第１の回転部材と接続部とが互いに固定される。一方、非使用状態であるときには、第１の回転部材の第２の突起に接続部の突起が固定されることにより、第１の回転部材と接続部とが互いに固定される。
【００３２】
このようにして、使用状態と非使用状態との間で第１の刷毛部が接続部に対して軸線を中心に回転することができる。
【００３３】
この発明に従った電気掃除機において、第１の回転部材は、第２の嵌合部を有していることが好ましい。第２の嵌合部は、第１の回転部材の内周面のうちの左右両側に設けられ且つ軸線を中心とする円環状の形状を有していることが好ましい。また、第２の回転部材は、脚部を有していることが好ましい。脚部は、第２の回転部材の左右の両側に配置され、円環状の形状を有し、且つ第１の回転部材の第２の嵌合部に嵌合することが好ましい。
【００３４】
この構成によれば、円環状の第２の回転部材の脚部は、軸線を中心とする円環状の第２の嵌合部に嵌合する。これにより、第２の回転部材は、第１の刷毛部に対して回転することができる。さらに、第１の回転部材が接続部に対して回転することができるため、第２の回転部材が第１の回転部材に対して回転することにより、第２の回転部材が接続部に対して回転する。
【００３５】
この発明に従った電気掃除機では、第１の刷毛部の刷毛の形態と、第２の刷毛部の刷毛の形態とは、それぞれ異なっていることが好ましい。
【００３６】
この構成によれば、第１の刷毛部の刷毛の形態と第２の刷毛部の刷毛の形態との違いにより、当該付属ブラシに係る清掃の性能がより向上する。
【００３７】
この発明に従った電気掃除機では、付属ブラシの接続部は、吸気通路を構成する部材に着脱自在に取り付けられていることが好ましい。
【００３８】
この構成によれば、付属ブラシの利便性がより向上する。
【００３９】
上述のように、この発明に従った電気掃除機の付属ブラシは、簡易な構成を有し且つ所定の非使用状態と所定の使用状態とに適切に変化することが可能であり、且つ、所定の非使用状態から所定の使用状態に変化するときには刷毛が付属ブラシの先端に略環状に配置される。したがって、この発明に従った付属ブラシを備えた電気掃除機は、家具の凹凸部分または部屋の隅等の場所を効率的に清掃することができることにより、電気掃除機の利便性等が向上する。
【発明の効果】
【００４０】
以上のように、この発明によれば、簡易な構成を有し且つ使用状態から非使用状態に適切に変化することが可能な付属ブラシであって、非使用状態から使用状態に変化するときには刷毛が付属ブラシの先端に略環状に配置される付属ブラシを備えた電気掃除機を提供することができる。
【図面の簡単な説明】
【００４１】
【図１】この発明に係る電気掃除機の全体を示す斜視図である。
【図２】この発明に係る電気掃除機の付属ブラシが使用状態であるときの付属ブラシおよび接続パイプを付属ブラシの左方から見た図である。
【図３】この発明に係る電気掃除機の付属ブラシが使用状態であるときの付属ブラシの全体を示す斜視図である。
【図４】この発明に係る電気掃除機の付属ブラシが使用状態であるときの付属ブラシの全体を第１の刷毛部の正面から見た図である。
【図５】この発明に係る電気掃除機の付属ブラシが使用状態であるときの付属ブラシの全体を付属ブラシの正面から見た図である。
【図６】この発明に係る電気掃除機の付属ブラシが使用状態であるときの付属ブラシの全体を付属ブラシの左方から見た図である。
【図７】この発明に係る電気掃除機の付属ブラシが使用状態であるときの付属ブラシの全体を付属ブラシの後方から見た図である。
【図８】この発明に係る電気掃除機の付属ブラシが使用状態であるときの第１の刷毛部と第２の刷毛部とをそれぞれの左方から見た図である。
【図９】この発明に係る電気掃除機の付属ブラシが使用状態であるときの第１の刷毛部と第２の刷毛部とをそれぞれの下方から見た図である。
【図１０】図９のＸ−Ｘ線の断面図である。
【図１１】図９のＸＩ−ＸＩ線の断面図である。
【図１２】図９のＸＩＩ−ＸＩＩ線の断面図である。
【図１３】この発明に係る電気掃除機の付属ブラシが非使用状態であるときの付属ブラシの全体を付属ブラシの左方から見た図である。
【図１４】この発明に係る電気掃除機の付属ブラシが非使用状態であるときの第１の刷毛部と第２の刷毛部とをそれぞれの左方から見た図である。
【図１５】この発明に係る電気掃除機の付属ブラシが使用状態であるときの第１の刷毛部と第２の刷毛部とをそれぞれの下方から見た図である。
【図１６】図１５のＸＶＩ−ＸＶＩ線の断面図である。
【図１７】図１５のＸＶＩＩ−ＸＶＩＩ線の断面図である。
【図１８】図１５のＸＶＩＩＩ−ＸＶＩＩＩ線の断面図である。
【発明を実施するための形態】
【００４２】
以下、この発明の実施の形態を図面に基づいて説明する。
【００４３】
図１に示すように、電気掃除機１は、吸込口を有する吸込口体１０１と、本体１００と、延長管１０２と、接続パイプ１０３と、サクションホース１０４と、連結管１０５とを備えている。本体１００は、吸気を発生させる電動送風機（図示せず）と塵埃捕集室（図示せず）とを収容する。吸込口体１０１には、延長管１０２、接続パイプ１０３、サクションホース１０４、連結管１０５が順次接続されている。延長管１０２と接続パイプ１０３とサクションホース１０４と連結管１０５とは、吸気通路２００を形成する。吸気通路２００は、吸込口体１０１と本体１００とを接続する。
【００４４】
接続パイプ１０３は、グリップ３６を有している。また、なお、吸気通路２００において、吸込口体１０１が配置されている方が吸気通路２００の前方であり、且つ、連結管１０５が配置されている方が吸気通路２００の後方である。
【００４５】
サクションホース１０４は、連結管１０５を介して本体１００に接続されている。接続パイプ１０３のグリップ３６には、操作部４が配置されている。使用者が操作部４を操作することにより、例えば電動送風機の駆動と駆動停止とが切り替えられる。
【００４６】
延長管１０２は、用途に合わせて使用者が長さを調節することが可能であるように、途中で分割されたり、二重構造の伸縮式にされたりしてもよい。サクションホース１０４は、柔軟に曲がるように構成されている。一方、吸込口体１０１と延長管１０２と接続パイプ１０３と連結管１０５とは、柔軟に曲がることがないように樹脂またはプラスチック等の硬性材料で構成されている。
【００４７】
本体１００には、本体１００を床面上で移動可能に支持する車輪１０６が設けられている。また、本体１００は、通常、使用者が本体１００を持ち上げるためのハンドル（図示せず）を有している。ただし、本体１００は、ハンドルを有していなくてもよい。
【００４８】
また、電気掃除機１は、付属ブラシ３００を備えている。付属ブラシ３００は、吸気通路２００を構成する部材に着脱自在に取り付けられる。図１に示すように、電気掃除機１では、付属ブラシ３００を使用しない非使用状態において、付属ブラシ３００は、延長管１０２と接続パイプ１０３との接続部分２３に着脱自在に取り付けられている。ただし、付属ブラシ３００を使用しない非使用状態において、付属ブラシ３００は、接続部分２３から取り外されていてもよい。また、付属ブラシ３００は、吸気通路２００を構成する部材に固定されていてもよい。
【００４９】
図２に示すように、付属ブラシ３００を使用する使用状態において、付属ブラシ３００は、接続パイプ１０３の先端部６１の外周に着脱自在に取り付けられている。なお、付属ブラシ３００を使用しない非使用状態においても、付属ブラシ３００は、接続パイプ１０３の先端部６１の外周に着脱自在に取り付けられていてもよい。付属ブラシ３００は、接続部３８０を有している。接続部３８０は、付属ブラシ３００のうちの接続部分２３（図１参照）に取り付けられる部分である。接続部３８０は、略円筒状に形成されている。
【００５０】
接続部３８０は、略円筒状の形状を有する軸部３８５を有している。図４に示すように、軸部３８５の上側は切り欠けられている。この切り欠けられた部分を切り欠き部３８１と称する。図２に示すように、付属ブラシ３００が接続パイプ１０３の先端部６１の外周に取り付けられているときには、接続部３８０の内径Ｄ1は先端部６１の外径Ｄ2と略等しい。
【００５１】
ただし、付属ブラシ３００を使用する使用状態において、付属ブラシ３００は、接続パイプ１０３の先端部６１に取り付けられることに限定されない。使用状態において、付属ブラシ３００は、接続パイプ１０３以外の延長管１０２またはサクションホース１０４に着脱自在に取り付けられるものであってもよい。このとき、付属ブラシ３００は、延長管１０２またはサクションホース１０４の外周に取り付けられていてもよい。また、付属ブラシ３００は、延長管１０２、接続パイプ１０３、またはサクションホース１０４の内周に取り付けられていてもよい。
【００５２】
図３に示すように、付属ブラシ３００は、第１の刷毛部としての刷毛部３１０と、第２の刷毛部としての刷毛部３５０とを有している。刷毛部３１０は、第１の回転部材としての回転部材３１１と、回転部材３１１に固定された刷毛３１２とを有している。また、刷毛部３５０は、第２の回転部材としての回転部材３５１と、回転部材３５１に固定された刷毛３５２とを有している。回転部材３１１と回転部材３５１と接続部３８０とは、柔軟に曲がることがないように硬性材料で構成されている。
【００５３】
図２に示すように、付属ブラシ３００が非使用状態から使用状態に変化するときは、刷毛部３１０と刷毛部３５０とは、接続部３８０に対して軸Ｐを中心として方向ＤＲ1に回転する。一方、付属ブラシ３００が使用状態から非使用状態に変化するときは、刷毛部３１０と刷毛部３５０とは、接続部３８０に対して軸Ｐを中心として方向ＤＲ2に回転する。
【００５４】
図２〜図１８において、符号Ｆｒ、Ｒｒ、Ｕ、Ｄ、Ｒ、Ｌは、付属ブラシ３００のそれぞれ前方、後方、上方、下方、右方、左方を示している。図４または図５に示す軸Ｐは、水平方向に延びている。すなわち、図４の正面は、軸Ｐが水平方向に延びるような面である。また、図５の下方から上方に向かって付属ブラシ３００を見る場合にも、軸Ｐが水平方向に延びている。図４に示す付属ブラシ３００前後方向は、図４の紙面表裏方向（図４の紙面の垂直方向）から図４の上方に傾斜している。一方、図５の紙面の表から裏に向かう方向は、付属ブラシ３００の前後方向である。図５の正面は、付属ブラシ３００の正面である。なお、軸線としての軸Ｐは、回転部材３１１と回転部材３５１と接続部３８０の回転中心である。
【００５５】
図２に示すように、回転部材３１１は、付属ブラシ３００を使用する使用状態と付属ブラシ３００を使用しない非使用状態との間にて軸Ｐを中心に接続部３８０に対して相対的に回転する。図４に示すように、回転部材３１１は、略前方から見て略Ｕ字状の形状を有している。言い換えると、回転部材３１１の断面は、略Ｕ字状の形状を有している。詳細には、回転部材３１１は、略前方から見て略Ｕ字状の形状が１８０度回転した形状を有している。刷毛部３１０の刷毛３１２は、回転部材３１１に略Ｕ字状に配置されるように固定されている。図２に示すように、刷毛部３１０の刷毛３１２は、使用状態であるときには略前方に向かって延びている。ここでいう略前方とは、前方Ｆｒよりも下方に下がった方向である。
【００５６】
図２に示すように、回転部材３５１は、付属ブラシ３００を使用する使用状態と付属ブラシ３００を使用しない非使用状態との間にて軸Ｐを中心に接続部３８０および刷毛部３１０に対して相対的に回転する。図４に示すように、回転部材３５１は、略前方から見て軸Ｐが延びる方向に線状に延びている。刷毛部３５０の刷毛３５２は、回転部材３５１と平行な方向に線状に配置されるように回転部材３５１に固定されている。図４に示すように、刷毛部３５０の刷毛３５２は、使用状態であるときには略前方に向かって延びている。なお、図４の正面から付属ブラシ３００を見る方向は、前方Ｆｒよりも下方に傾斜した方向から後方Ｒｒよりも上方に傾斜した方向を指している。図２に示すように、刷毛部３５０の刷毛３５２は、使用状態であるときには前方Ｆｒよりも下方Ｄに近い方向に向かって延びている。
【００５７】
図３に示すように、付属ブラシ３００では、刷毛部３１０の刷毛３１２と、刷毛部３５０の刷毛３５２とは、それぞれ異なった方向に延びている。付属ブラシ３００では、刷毛部３５０の刷毛３５２は、刷毛部３１０の刷毛３１２が延びる方向よりも下方に向かって延びている。このように、刷毛３１２が延びる方向よりも下方に向かって刷毛３５２が延びていることにより、付属ブラシ３００の刷毛３１２と刷毛３５２とが形成する略円の寸法（円である場合は直径）を大きくすることができる。
【００５８】
刷毛部３１０では、刷毛３１２は植毛部３１３に取り付けられ、刷毛部３５０では、刷毛３５２は植毛部３５３に取り付けられている。植毛部３１３は回転部材３１１の前方側に配置されており、植毛部３５３は回転部材３５１の前方側に配置されている。つまり、植毛部３１３と植毛部３５３とは、使用状態であるときに付属ブラシ３００の先端に配置されている。付属ブラシ３００では、回転部材３１１と植毛部３１３とは互いに一体に形成され、回転部材３５１と植毛部３５３とは互いに一体に形成されている。ただし、回転部材３１１と植毛部３１３とがそれぞれ別部材で形成され、回転部材３５１と植毛部３５３とがそれぞれ別部材で形成されていてもよい。
【００５９】
図３と図４とに示すように、植毛部３５３は、略前方から見て直線状に形成されている。ただし、植毛部３５３は、略前方から見て直線状に形成されていることに限定されない。植毛部３５３は、回転部材３１１の植毛部３１３のように略Ｕ字状であってもよい。つまり、植毛部３５３は、図４に示す直線状のものよりも植毛部３５３の左右方向の中心３５３ｃが図４の上方または下方に向かって凸状に突出するように曲がっていてもよい。
【００６０】
なお、刷毛部３１０の刷毛３１２の形態と、刷毛部３５０の刷毛３５２の形態とは、それぞれ異なっていてもよく、互いに同一であってもよい。例えば、刷毛部３１０の刷毛３１２の剛性と、刷毛部３５０の刷毛３５２の剛性とは、それぞれ異なっていてもよい。刷毛３１２の長さと、刷毛３５２の長さとは、それぞれ異なっていてもよい。刷毛３１２の太さと、刷毛３５２の太さとは、それぞれ異なっていてもよい。刷毛３１２の材質と、刷毛３５２の材質とは、それぞれ異なっていてもよい。なお、刷毛３１２と刷毛３５２とは、それぞれ植毛部３１３と植毛部３５３とにおいて図４に示すように束状に形成されていなくてもよい。刷毛３１２と刷毛３５２とは、それぞれ植毛部３１３と植毛部３５３とにおいて隙間なく線状に配置されるように取り付けられていてもよい。付属ブラシ３００では、束状の刷毛３１２と束状の刷毛３５２とが、それぞれ植毛部３１３と植毛部３５３とに等間隔に配置されている。
【００６１】
刷毛３１２は、刷毛３５２よりも太く且つ硬い材質で構成されていることが好ましい。このようにすることにより、刷毛３１２はより広い範囲にて床面のごみを掻くことができ、付属ブラシ３００が効率的にごみを掃くことができる。
【００６２】
以下では、刷毛部３１０および刷毛部３５０の構成について説明する。図１０に示すように、刷毛部３１０では、回転部材３１１は、ストッパ３１９とストッパ３１８とストッパ３１７とストッパ３１６と嵌合部３１５と嵌合部３１４と植毛部３１３とを有している。ストッパ３１９とストッパ３１８とストッパ３１７とストッパ３１６と嵌合部３１５と嵌合部３１４と植毛部３１３とは、回転部材３１１と一体に形成されている。ストッパ３１９とストッパ３１８とストッパ３１７と嵌合部３１５と嵌合部３１４とは、回転部材３１１の内周面３３０のうちの左右両側に設けられたリブ状の突起である。ストッパ３１６は、回転部材３１１の内周面３３０のうちの右側に設けられたリブ状の突起である（図３参照）。ただし、ストッパ３１６は、回転部材３１１の内周面３３０のうちの左側に設けられていてもよく、回転部材３１１の内周面３３０のうちの左右両側に設けられていてもよい。第１の突起としてのストッパ３１８と、第２の突起としてのストッパ３１９とは、回転部材３１１の内周面３３０のうち、接続部３８０の突起３８２が配置されている側に設けられていればよい。
【００６３】
第１の嵌合部としての嵌合部３１４と、第２の嵌合部としての嵌合部３１５とは、軸Ｐを中心とする円環状の形状を有している。嵌合部３１５の径は嵌合部３１４の径よりも大きい。詳細には、嵌合部３１５の外周の径は嵌合部３１４の外周の径よりも大きい。図６に示すように、接続部３８０は、リブ状の突起である取付部３８３を有している。取付部３８３は、接続部３８０の左右の両側に配置されている。取付部３８３は、円柱状または円筒状の形状を有している。取付部３８３の外周面が嵌合部３１４の内周面に嵌り込むように、取付部３８３は嵌合部３１４に嵌合する。図６に示すように、刷毛部３１０が接続部３８０に取り付けられているときは、取付部３８３は、軸Ｐが延びる方向に延びている。このとき、取付部３８３が形成する円柱の断面は、軸Ｐを中心とする円である。ただし、取付部３８３は、嵌合部３１５の内周面と嵌合部３１４の外周面との間に嵌り込むように、軸Ｐを中心とする円環状の形状を有し、嵌合部３１５に嵌合するものであってもよい。
【００６４】
図３に示すように、接続部３８０は、接続部３８０の右側に配置されたピン状の突起３８２を有している。図１０に示すように、ピン状の突起３８２は、使用状態であるときには、ストッパ３１８に嵌り込むことにより、ストッパ３１８に固定されている。一方、図１６に示すように、非使用状態であるときには、突起３８２は、ストッパ３１９に嵌り込むことにより、ストッパ３１９に固定されている。ただし、ピン状の突起３８２は、接続部３８０の左側に配置されていてもよく、接続部３８０の左右の両側に配置されていてもよい。接続部３８０の取付部３８３と嵌合部３１４または嵌合部３１５との嵌合により、取付部３８３と嵌合部３１４または嵌合部３１５とは、軸Ｐを中心に互いに相対的に回転する。このとき、回転部材３１１と接続部３８０とは、接続部３８０の突起３８２がストッパ３１８に固定されるときと突起３８２がストッパ３１９に固定されるときとの間で相対的に回転する。
【００６５】
図１０に示すように、刷毛部３５０の回転部材３５１は、脚部３５５と支持部３５４と植毛部３５３とを有している。脚部３５５は、回転部材３５１のうちの左右の両側に配置された円環状の部分である。支持部３５４は、付属ブラシ３００が使用状態であるときに左右の脚部３５５からそれぞれ略前方に向かって延びた部分である。植毛部３５３は、支持部３５４の前端部に接続されている。脚部３５５と支持部３５４と植毛部３５３とが互いに一体に形成されることにより、回転部材３５１が構成されている。
【００６６】
図１０に示すように、回転部材３５１の脚部３５５は、脚部３５５の内周面が回転部材３１１の嵌合部３１５の外周面に嵌り込むように、嵌合部３１５に嵌合する。脚部３５５と嵌合部３１５との嵌合により、回転部材３５１と回転部材３１１とは、軸Ｐを中心に互いに相対的に回転することができる。図１１に示すように、回転部材３５１は、凸部３５６と凸部３５７とを有している。凸部３５６と凸部３５７とは、脚部３５５と支持部３５４との接合部分に配置されるように、回転部材３５１と一体に形成されている。なお、凸部３５６と凸部３５７とは、図１１に示すように、それぞれ分かれているものに限定されない。凸部３５６と凸部３５７とは、回転部材３１１にて互いに一体に形成されたリブ状部材により、リブ状部材の片側が凸部３５６を形成し且つ他方側が凸部３５７を形成するものであってもよい。
【００６７】
図１１に示すように、付属ブラシ３００が使用状態であるときには、回転部材３５１の凸部３５６が回転部材３１１に形成されたストッパ３１７に接触する。一方、図１７に示すように、付属ブラシ３００が非使用状態であるときには、凸部３５７がストッパ３１６に接触する。このように、回転部材３５１と回転部材３１１とは、凸部３５６がストッパ３１７に接触するときと凸部３５７がストッパ３１６に接触するときとの間で相対的に回転する。
【００６８】
以下では、付属ブラシ３００が図６に示す使用状態から図１３に示す非使用状態に変化するときの回転部材３１１と回転部材３５１と接続部３８０との相対回転について説明する。図１０に示すように、付属ブラシ３００が使用状態から非使用状態に変化するときには、回転部材３１１のストッパ３１８に嵌め込まれていた接続部３８０の突起３８２がストッパ３１８を乗り越えることにより、回転部材３１１が接続部３８０に対して回転し始める。回転部材３１１と接続部３８０との相対回転により、突起３８２がガイド面３２０に沿って移動し、且つ、接続部３８０の取付部３８３（図６参照）に対して回転部材３１１の嵌合部３１４が回転する。図１０に示す回転部材３１１において、付属ブラシ３００が使用状態から非使用状態に変化するときには、回転部材３１１は軸Ｐを中心として反時計回りに回転する。図１１に示すように、ガイド面３２０は、回転部材３１１の内周面の縁に形成されたフランジ状の部分の面である。
【００６９】
図１０に示すように、突起３８２がガイド面３２０に沿って移動する間に、接続部３８０の軸部３８５（図６参照）が回転部材３５１の植毛部３５３に接触することにより、回転部材３１１の接続部３８０および回転部材３５１に対する回転が開始される。また、突起３８２がガイド面３２０に沿って移動する間に、回転部材３５１を含む刷毛部３５０の自重により、回転部材３５１の接続部３８０および回転部材３１１に対する回転が開始される。
【００７０】
付属ブラシ３００が図６に示す使用状態から図１３に示す非使用状態に変化するときには、接続部３８０と回転部材３５１と回転部材３１１との相対回転が開始された後で、回転部材３５１は、軸部３８５が植毛部３５３に接触するときと回転部材３５１の凸部３５６がストッパ３１７に接触するときとの間で、回転部材３１１および接続部３８０に対して相対的に回転する。接続部３８０と回転部材３５１と回転部材３１１との相対回転が開始された後で、凸部３５７がストッパ３１６に接触するとき（図１７参照）には、接続部３８０および回転部材３１１に対する回転部材３５１の回転が停止する。このとき、回転部材３５１は、植毛部３５３が接続部３８０の軸部３８５に接触すること（図６と図１３とを参照）と、凸部３５６が回転部材３１１のストッパ３１６に接触する（図１７参照）こととにより、接続部３８０および回転部材３１１に対して回転することが制限されている。
【００７１】
接続部３８０の突起３８２（図１０参照）がストッパ３１８を乗り越えることによって接続部３８０と回転部材３５１と回転部材３１１との相対回転が開始された後から、接続部３８０の突起３８２がストッパ３１９（図１７参照）に固定されるまでの間において、少なくとも回転部材３１１が接続部３８０に対して回転する。図１７に示すように、突起３８２がストッパ３１９に固定されるときには、接続部３８０と回転部材３１１との相対回転が制限されることにより、付属ブラシ３００が非使用状態になる（図１３参照）。この間において、回転部材３５１は、接続部３８０の軸部３８５に植毛部３５３が接触する（図６と図１３とを参照）ときと凸部３５７が回転部材３１１のストッパ３１６に接触する（図１７参照）ときとの間にて、接続部３８０および回転部材３１１に対して回転する。
【００７２】
図３に示すように、使用状態のときには、略前方から見て刷毛部３１０と刷毛部３５０とが略環状の形状を形成している。このとき、電気掃除機１の使用者は、付属ブラシ３００を用いることにより、家具の凹凸部分または部屋の隅等の場所を効率的に清掃することができる。
【００７３】
次に、以下では、付属ブラシ３００が図１３に示す非使用状態から図６に示す使用状態に変化するときの回転部材３１１と回転部材３５１と接続部３８０との相対回転について説明する。図１６に示すように、付属ブラシ３００が非使用状態から使用状態に変化するときには、回転部材３１１のストッパ３１９に固定されていた接続部３８０の突起３８２がストッパ３１９を乗り越えることにより、回転部材３１１が接続部３８０に対して回転し始める。回転部材３１１と接続部３８０との相対回転により、突起３８２がガイド面３２０に沿って移動し、且つ、接続部３８０の取付部３８３（図１３参照）に対して回転部材３１１の嵌合部３１４が回転する。図１６に示す回転部材３１１において、付属ブラシ３００が非使用状態から使用状態に変化するときには、回転部材３１１は軸Ｐを中心として時計回りに回転する。
【００７４】
図１６に示すように、回転部材３１１と接続部３８０（図１３参照）との相対回転によって突起３８２がガイド面３２０に沿って移動する間に、接続部３８０の左右の両側に設けられたフランジ部３８４（図４参照）が回転部材３５１の左右の支持部３５４に接触することにより、回転部材３１１と接続部３８０および回転部材３５１との相対回転が開始される。
【００７５】
付属ブラシ３００が図１３に示す非使用状態から図６に示す使用状態に変化するときには、回転部材３１１は、フランジ部３８４（図４参照）が支持部３５４に接触した後から接続部３８０の突起３８２がストッパ３１８に固定される（図１０参照）まで、接続部３８０および回転部材３５１に対して回転する。図１０に示すように、突起３８２がストッパ３１８に固定されるときには、接続部３８０と回転部材３１１との相対回転が制限されることにより、付属ブラシ３００が使用状態になる（図６参照）。このとき、回転部材３５１は、支持部３５４が接続部３８０のフランジ部３８４に接触する（図４参照）ことおよび凸部３５６がストッパ３１７に接触する（図１１参照）ことにより、接続部３８０および回転部材３１１に対して回転することが制限されている。
【００７６】
図１３に示すように、付属ブラシ３００では、非使用状態のときには、刷毛部３１０の刷毛３１２と刷毛部３５０の刷毛３５２とは、接続部３８０の軸部３８５が延びる方向と平行な方向に前方Ｆｒから後方Ｒｒに向かって延びている。このとき、図１６に示すように、突起３８２がストッパ３１９に嵌り込んでいることによって刷毛部３１０と接続部３８０とが互いに固定されている。またこのとき、図１３に示すように、刷毛部３１０は接続部３８０を囲んでいる。ただし、刷毛３１２と刷毛３５２とが延びる方向は、接続部３８０の軸部３８５が延びる方向と略平行な方向であれば、前方Ｆｒから後方Ｒｒに向かう方向から傾斜していてもよい。
【００７７】
図６と図１３とを参照するように、付属ブラシ３００では、刷毛部３５０の植毛部３５３が接続部３８０の軸部３８５に接触する事態が起こるにしても、刷毛部３５０の刷毛３５２は、接続部３８０と干渉することがない。さらに、上述のように、接続パイプ１０３と接続部３８０とは、柔軟に曲がることがないように硬性材料で構成されている。そのため、付属ブラシ３００が非使用状態のときに、硬性材料で構成された接続部３８０または接続パイプ１０３等の吸気通路２００を構成する部材と、刷毛３１２および刷毛３５２とが干渉することがない。
【００７８】
図３に示すように、刷毛部３１０の刷毛３１２は、植毛部３１３のうちの刷毛３１２が取り付けられる面に対して刷毛３１２が垂直方向に延びるように、植毛部３１３に固定されている。刷毛部３１０では、植毛部３１３を含めた回転部材３１１の形状が適宜変更されることにより、植毛部３１３に固定される刷毛３１２が延びる方向が適宜決定される。ただし、刷毛３１２が延びる方向は、植毛部３１３に刷毛３１２が固定されるときの角度により、適宜決定されていてもよい。
【００７９】
一方、刷毛部３５０の刷毛３５２は、植毛部３５３のうちの刷毛３５２が取り付けられる面に対して刷毛３５２が垂直方向に延びるように、植毛部３５３に固定されている。図１０に示すように、刷毛部３５０では、支持部３５４に対して植毛部３５３が接続される角度または位置等が適宜変更されるように、支持部３５４と植毛部３５３と脚部３５５との形状が形成されることにより、植毛部３５３に固定される刷毛３５２が延びる方向が適宜決定される。ただし、刷毛３５２が延びる方向は、植毛部３５３に刷毛３５２が固定されるときの角度により、適宜決定されていてもよい。
【００８０】
以上のように、電気掃除機１は、本体１００と、延長管１０２と接続パイプ１０３とサクションホース１０４と連結管１０５と、付属ブラシ３００とを備えている。延長管１０２と接続パイプ１０３とサクションホース１０４と連結管１０５とは、本体１００に吸い込まれる吸気が流通する吸気通路２００を構成している。付属ブラシ３００は、接続部３８０と刷毛部３１０と刷毛部３５０とを有している。接続部３８０は、吸気通路２００を構成する部材に取り付けられている。また、接続部３８０は、略円筒状の軸部３８５を有している。
【００８１】
第１の刷毛部としての刷毛部３１０は、回転部材３１１と刷毛３１２とを有している。第１の回転部材としての回転部材３１１は、付属ブラシ３００を使用して家具の凹凸部分または部屋の隅等の場所を掃除する使用状態と付属ブラシ３００を使用せずに掃除する非使用状態との間にて軸線Ｐを中心に接続部３８０と相対回転し、略Ｕ字状の断面を有している。刷毛部３１０の刷毛３１２は、回転部材３１１に略Ｕ字状に配置されるように固定されている。また、第２の刷毛部としての刷毛部３５０は、回転部材３５１と刷毛３５２とを有している。第２の回転部材としての回転部材３５１は、使用状態と非使用状態との間にて軸線Ｐを中心に接続部３８０と相対回転する。刷毛部３５０の刷毛３５２は、回転部材３５１に固定されている。
【００８２】
電気掃除機１では、使用状態のときには、回転部材３１１と回転部材３５１とによって略環状の形状が形成されている。一方、非使用状態のときには、刷毛部３１０の刷毛３１２と刷毛部３５０の刷毛３５２とが、接続部３８０の軸部３８５が延びる方向と略平行な方向に延びている。
【００８３】
このように、電気掃除機１の付属ブラシ３００は、接続部３８０と刷毛部３１０と刷毛部３５０との間の相対回転のみによって使用状態と非使用状態とが変化するような簡易な構成を有している。すなわち、電気掃除機１の付属ブラシ３００は、使用状態と非使用状態との間で変化するための付勢部材等を有していないため、簡易な構成を有している。
【００８４】
また、付属ブラシ３００が非使用状態であるときには、刷毛部３１０の刷毛３１２と刷毛部３５０の刷毛３５２とは、接続部３８０の軸部３８５が延びる方向と平行な方向に延びている。このように、電気掃除機１の付属ブラシ３００では、付属ブラシ３００を使用せずに家具の凹凸部分または部屋の隅等の場所を掃除するときに、接続部３８０の軸部３８５と刷毛３１２および刷毛３５２とが干渉することがないように構成されている。このように、電気掃除機１の付属ブラシ３００は、刷毛３１２および刷毛３５２が汚れたり傷んだりすることなく、所定の非使用状態に適切に変化する。
【００８５】
電気掃除機１では、非使用状態のときには、刷毛部３１０が接続部３８０を囲むように刷毛部３１０と接続部３８０とが互いに固定されている。
【００８６】
この構成によれば、非使用状態のときに刷毛部３１０が接続部３８０を囲むように刷毛部３１０と接続部３８０とが互いに固定されることにより、付属ブラシ３００は、接続部３８０が吸気通路２００を構成する部材に取り付けられたまま非使用状態に変化することができる。
【００８７】
以上のように、付属ブラシ３００は、軸部３８５を有する接続部３８０と第１の刷毛部としての刷毛部３１０と第２の刷毛部としての刷毛部３５０とを備えている。軸部３８５は、略円筒状の形状を有している。刷毛部３１０は、第１の回転部材としての回転部材３１１と、回転部材３１１に固定された刷毛３１２とを有している。また、刷毛部３５０は、第２の回転部材としての回転部材３５１と、回転部材３５１に固定された刷毛３５２とを有している。
【００８８】
回転部材３１１は、使用状態と非使用状態との間にて軸Ｐを中心に接続部３８０と相対回転する。また、回転部材３１１は、使用状態において、前方Ｆｒから下方に下がった方向から見て、略Ｕ字状の形状を有している。刷毛部３１０の刷毛３１２は、回転部材３１１の植毛部３１３に略Ｕ字状に配置されるように固定されている。このとき、刷毛部３１０の刷毛３１２は、前方Ｆｒよりも下方に下がった方向に向かって延びている。
【００８９】
回転部材３５１は、使用状態と非使用状態との間にて軸Ｐを中心に刷毛部３１０または接続部３８０と相対回転する。また、回転部材３５１は、使用状態において軸Ｐが延びる方向に線状に延びている。刷毛部３５０の刷毛３５２は、回転部材３５１と平行な方向に線状に配置されるように回転部材３５１の植毛部３５３に固定されている。このとき、刷毛部３５０の刷毛３５２は、前方Ｆｒよりも下方に下がった方向として下方Ｄに近い方向に向かって延びている。
【００９０】
さらに、付属ブラシ３００では、使用状態のときには、前方Ｆｒよりも下方に下がった方向から見て回転部材３１１と回転部材３５１とによって略環状の形状が形成されている。一方、非使用状態のときには、刷毛部３１０が接続部３８０を囲むように刷毛部３１０と接続部３８０とが互いに固定され、且つ、刷毛部３１０の刷毛３１２と刷毛部３５０の刷毛３５２とが、接続部３８０の軸部３８５が延びる方向と平行な方向に前方Ｆｒから後方Ｒｒに向かって延びている。
【００９１】
本実施形態によれば、付属ブラシ３００が接続部３８０と刷毛部３１０と刷毛部３５０とを備え、刷毛部３１０が軸Ｐを中心に接続部３８０に対して回転し、且つ、刷毛部３５０が軸Ｐを中心に接続部３８０または刷毛部３１０に対して回転することにより、使用状態と非使用状態とが変化するように構成されている。つまり、付属ブラシ３００は、接続部３８０と刷毛部３１０と刷毛部３５０との間の相対回転のみによって使用状態と非使用状態とが変化するような簡易な構成を有している。このように、付属ブラシ３００は、使用状態と非使用状態との間で変化するための付勢部材等を有していないため、簡易な構成を有している。
【００９２】
また、付属ブラシ３００が非使用状態であるときには、刷毛部３１０の刷毛３１２と刷毛部３５０の刷毛３５２とは、接続部３８０の軸部３８５が延びる方向と平行な方向に前方Ｆｒから後方Ｒｒに向かって延びている。このように、付属ブラシ３００では、非使用状態であるときに、接続部３８０の軸部３８５を含む吸気通路２００を構成する部材と刷毛３１２および刷毛３５２とが干渉することがないように構成されている。このように、付属ブラシ３００は、刷毛３１２および刷毛３５２が汚れたり傷んだりすることなく、使用状態から非使用状態に適切に変化する。
【００９３】
一方、付属ブラシ３００が使用状態であるときには、前方Ｆｒよりも下方に下がった方向から見て刷毛部３１０と刷毛部３５０とによって略環状の形状が形成されることにより、刷毛３１２と刷毛３５２とが付属ブラシ３００の先端である植毛部３１３と植毛部３５３とに略環状に配置される。
【００９４】
したがって、付属ブラシ３００は、簡易な構成を有し且つ非使用状態と使用状態とに適切に変化することが可能である。また、付属ブラシ３００では、非使用状態から使用状態に変化するときには刷毛３１２と刷毛３５２とが付属ブラシ３００の先端に略環状に配置される。
【００９５】
付属ブラシ３００において、回転部材３１１は、嵌合部３１４と、ストッパ３１８およびストッパ３１９とを有している。嵌合部３１４は、回転部材３１１の内周面３３０のうちの左右両側に設けられ且つ軸Ｐを中心とする円環状の形状を有している。また、ストッパ３１８およびストッパ３１９は、回転部材３１１の内周面３３０の右側に設けられている。一方、接続部３８０は、取付部３８３と突起３８２とを有している。取付部３８３は、接続部３８０の左右の両側に配置され、円柱状または円筒状の形状を有し、且つ回転部材３１１の嵌合部３１４に嵌合する。突起３８２は、接続部３８０の右側に配置されている。さらに、突起３８２は、使用状態であるときにはストッパ３１８に固定され、非使用状態であるときにはストッパ３１９に固定されている。
【００９６】
この構成によれば、接続部３８０の左右の両側に配置された円柱状または円筒状の取付部３８３は、軸Ｐを中心とする円環状の嵌合部３１４に嵌合する。これにより、刷毛部３１０は、接続部３８０に対して軸Ｐを中心に回転することができる。さらに、使用状態であるときには、ストッパ３１８に突起３８２が固定されることにより、回転部材３１１と接続部３８０とが互いに固定される。一方、非使用状態であるときには、ストッパ３１９に突起３８２が固定されることにより、回転部材３１１と接続部３８０とが互いに固定される。
【００９７】
このようにして、使用状態と非使用状態との間で刷毛部３１０が接続部３８０に対して軸Ｐを中心に回転することができる。
【００９８】
付属ブラシ３００において、回転部材３１１は、嵌合部３１５を有している。嵌合部３１５は、回転部材３１１の内周面３３０のうちの左右両側に設けられ且つ軸Ｐを中心とする円環状の形状を有している。また、回転部材３５１は、脚部３５５を有している。脚部３５５は、回転部材３５１の左右の両側に配置され、円環状の形状を有し、且つ回転部材３１１の嵌合部３１５に嵌合する。
【００９９】
この構成によれば、円環状の脚部３５５は、軸Ｐを中心とする円環状の嵌合部３１５に嵌合する。これにより、回転部材３５１を有する刷毛部３５０は、刷毛部３１０に対して回転することができる。さらに、回転部材３１１を有する刷毛部３１０が接続部３８０に対して回転することができるため、刷毛部３５０が刷毛部３１０に対して回転することにより、刷毛部３５０が接続部３８０に対して回転する。
【０１００】
付属ブラシ３００では、刷毛部３１０の刷毛３１２の形態と、刷毛部３５０の刷毛３５２の形態とは、それぞれ異なっている。
【０１０１】
この構成によれば、刷毛部３１０の刷毛３１２の形態と刷毛部３５０の刷毛３５２の形態との違いにより、付属ブラシ３００に係る清掃の性能がより向上する。
【０１０２】
電気掃除機１では、付属ブラシ３００の接続部３８０は、吸気通路２００を構成する部材としての延長管１０２と接続パイプ１０３との接続部分２３に着脱自在に取り付けられている。これにより、付属ブラシ３００の利便性がより向上する。
【０１０３】
付属ブラシ３００は、簡易な構成を有し且つ非使用状態と使用状態とに適切に変化することが可能であり、且つ、非使用状態から使用状態に変化するときには刷毛３１２と刷毛３５２とが付属ブラシ３００の先端に略環状に配置される。したがって、付属ブラシ３００を備えた電気掃除機１は、家具の凹凸部分または部屋の隅等の場所を効率的に清掃することができる。これにより、電気掃除機１の利便性等が向上する。
【０１０４】
以上のように、本実施形態によれば、簡易な構成を有し且つ所定の使用状態から所定の非使用状態に適切に変化することが可能な付属ブラシ３００であって、所定の非使用状態から所定の使用状態に変化するときには刷毛３１２と刷毛３５２とが植毛部３１３と植毛部３５３とに略環状に配置される付属ブラシ３００を備えた電気掃除機１を提供することができる。
【０１０５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０６】
１：電気掃除機、３００：付属ブラシ、３１０：刷毛部、３１１：回転部材、３１２：刷毛、３１４：嵌合部、３１５：嵌合部、３１８：ストッパ、３１９：ストッパ、３３０：内周面、３５０：刷毛部、３５１：回転部材、３５２：刷毛、３５５：脚部、３８０：接続部、３８２：突起、３８３：取付部、３８５：軸部、Ｐ：軸
【図１】
0005561862.tif 000002
【図２】
0005561862.tif 000003
【図３】
0005561862.tif 000004
【図４】
0005561862.tif 000005
【図５】
0005561862.tif 000006
【図６】
0005561862.tif 000007
【図７】
0005561862.tif 000008
【図８】
0005561862.tif 000009
【図９】
0005561862.tif 000010
【図１０】
0005561862.tif 000011
【図１１】
0005561862.tif 000012
【図１２】
0005561862.tif 000013
【図１３】
0005561862.tif 000014
【図１４】
0005561862.tif 000015
【図１５】
0005561862.tif 000016
【図１６】
0005561862.tif 000017
【図１７】
0005561862.tif 000018
【図１８】
0005561862.tif 000019